(57)【特許請求の範囲】
【請求項１】
樋状のバスタブを有しており、
該バスタブの側壁の内面の上端部には複数の取付凹部が凹設されており、
該取付凹部の内側には、要介護者の入浴を補助するための丸棒形状の手摺り棒と、該手摺り棒の両端に取り付けられた一対の固定板と、該一対の固定板の周縁の間に架設される断面Ｌ字状をなす連結板と、を備えてなる手摺りユニットが、その全体が該取付凹部の内側に収容接合された状態で該バスタブに固定されている
ことを特徴とする浴槽。
【請求項２】
該取付凹部は、側壁の内面に臨む部位と、側壁の上端面に臨む部位と、の２面が開放さ
れた形状となるように、該側壁の内面の上縁に凹設されている
請求項１に記載の浴槽。
【請求項３】
該バスタブにおいて、同じ側壁の内面上に設けられた複数の該取付凹部は、該側壁の幅
方向における中央線を基準として、線対称の位置関係となるように配置されている
請求項１又は請求項２に記載の浴槽。
【発明の詳細な説明】
【技術分野】
【０００１】
本発明は、要介助者補助のための手摺りを取り付けた浴槽に関するものである。
【背景技術】
【０００２】
従来から、高齢者、障害者等のような足腰に不安のある要介助者の浴槽への出入りを補
助するために、特許文献１〜特許文献３に示されるような手摺りを取り付けた浴槽が提供
されている。このような浴槽では、手摺りを浴槽本体の長側壁の上端面から、あるいは長
側壁の内面上から突出して形成している。また該浴槽においては、長側壁の上端面又は長
側壁の内面と該手摺りの間に手を入れるための隙間が形成されているものが多い。
【先行技術文献】
【特許文献】
【０００３】
【特許文献１】特開平１１−１８９８０号公報
【特許文献２】特開２００６−２６３２３１号公報
【特許文献３】特開２０００−１５２８８９号公報
【発明の概要】
【発明が解決しようとする課題】
【０００４】
ところが、上記従来の浴槽については、浴槽への出入りのために手摺りを設けることが
、要介助者にとって却って危険になるおそれがあった。これは、要介助者は運動機能が低
下しているのみならず、反射速度、視力もまた低下している可能性が高く、極僅かな突起
でさえも要介助者の足が容易に引っ掛かってしまうためである。
すなわち、要介助者が浴槽本体の長側壁を跨ごうとするとき、長側壁の上端よりもさら
に上に手摺りが存在するため、足が上がりきらずに該手摺に引っ掛かってしまう。特に、
一部の浴槽は該浴槽の底が浴室の床に比べて低くなっており、このような浴槽の側壁上端
に手摺りを取り付けると、浴槽から外へ出ようとする要介助者が該手摺りに頻繁に引っ掛
かる。
浴槽本体の長側壁の内面上に手摺りが存在する場合には、水による光の屈折等で手摺り
の位置が把握しづらくなっているため、要介助者は該手摺りを避けたつもりで該手摺に足
を引っ掛かけたり、該手摺で膝や脛を打ってしまう。また多くの要介助者は、長側壁の内
面に足を接触させつつ滑らせながら上げ下ろしすることで浴槽の縁や浴槽の底を確認して
いるため、長側壁の内面上に手摺りを突出して取り付けると、該手摺りに手を掛けるため
に形成された隙間に足や膝が入り込み易く、特に高い確率で要介護者が引っ掛かってしま
う。
本発明は、このような従来技術に存在する問題点に着目してなされたものである。その
目的とするところは、要介助者が浴槽へ出入りするときに手摺に足が引っ掛かることを抑
制することができる浴槽を提供することにある。
【課題を解決するための手段】
【０００５】
上記の目的を達成するために、請求項１に記載の浴槽の発明は、桶状のバスタブを有し
ており、該バスタブの側壁の内面の上端部には複数の取付凹部が凹設されており、該取付
凹部の内側には要介護者の入浴を補助するための手摺り棒が、その全体が該取付凹部の内
側に収容されるようにして、設けられていることを要旨とする。
上記構成の浴槽によれば、バスタブの側壁の内面に凹設された取付凹部に手摺りユニット全体が取付凹部の内側に収容接合されるようにして設ける構成となっている。このため、手摺り棒は、取付凹部の内側からバスタブ内に突出することなく、バスタブの側壁内に配されている。また取付凹部内に設けられた手摺り棒は、バスタブの側壁の内面の上端部、つまり該バスタブの開口の直近位置であって要介護者がバスタブに出入りするときに確認がしやすい部位に配置されている。従って、要介護者がバスタブに出入りするときに手摺り棒に引っ掛かることを抑制することができる。
【０００６】
また、上記手摺りユニットは、バスタブと、少なくとも上記手摺り棒及び該手摺り棒の両端に取り付けられた一対の固定板と、該一対の固定板の間に架設される断面Ｌ字状の連結板とを備えてなる手摺りユニットを有しており、該手摺りユニットは、その全体が該取付凹部の内側に収容された状態で該バスタブに固定されている。
このため、手摺りユニットを構成する固定板、連結板及び手摺り棒は、取付凹部の内側からバスタブ内に突出することなく、バスタブの側壁内に配されている。またバスタブと手摺りユニットとを別体で構成したことにより、バスタブと手摺り棒を一体で構成することに比べて、成形時の浴槽形状が複雑になることを抑制することができる。
【０００７】
請求項２に記載の発明は、請求項１に記載の浴槽の発明において、該取付凹部は、側壁の内面に臨む部位と、側壁の上端面に臨む部位と、の２面が開放された形状となるように、該側壁の内面の上縁に凹設されていることを要旨とする。
上記構成の浴槽によれば、側方に加えて上方からも手摺りユニットの手摺り棒に触れて
、これを把持することができる。特に上方から手摺り棒を把持できるようになると、手摺
り棒を該側壁の上端から突出させることなく設けることができるとともに、要介護者が側
壁を跨いでバスタブに出入りするときに該手摺り棒を支えとすることができる。
【０００８】
請求項３に記載の発明は、請求項１又は請求項２に記載の浴槽の発明において、該バスタブにおいて、同じ側壁の内面上に設けられた複数の該取付凹部は、該側壁の幅方向における中央線を基準として、線対称の位置関係となるように配置されていることを要旨とする。
上記構成の浴槽によれば、バスタブの設置方向、設置位置が異なる浴室に該浴槽を設置
する場合であっても、例えば取付凹部の位置を変更する等のようなバスタブの設計変更を
行わずともよく、対応することができる。
【発明の効果】
【０００９】
本発明によれば、要介助者が浴槽へ出入りするときに手摺に足が引っ掛かることを抑制
することができる浴槽を提供することができる。
【図面の簡単な説明】
【００１０】
【図１】（ａ）は実施形態の浴槽を示す分解斜視図、（ｂ）は図１（ａ）中のＡ−Ａ線における断面図。
【図２】手摺りユニットを示す斜視図。
【図３】バスタブを示す断面図。
【図４】別形態の浴槽を示す斜視図。
【図５】別形態の浴槽を示す斜視図。
【図６】浴槽にオプションユニットの一例を装着した状態を示す斜視図。
【図７】浴槽にオプションユニットの一例を装着した状態を示す斜視図。
【図８】オプションユニットの一例を示す断面図。
【図９】浴槽にオプションユニットの一例を装着した状態を示す斜視図。
【図１０】浴槽にオプションユニットの一例を装着した状態を示す斜視図。
【発明を実施するための形態】
【００１１】
以下、本発明の浴槽を具体化した一実施形態について説明する。
図１（ａ）に示すように、浴槽１０は、バスタブ１１と、要介護者の入浴を補助するた
めに設けられた手摺りユニット１２と、を有している。
該バスタブ１１は、平面視で長方形状をなす底板２１と、該底板２１の両長辺側縁に立
設された第１及び第２長側壁２２ａ，２２ｂと、該底板２１の両短辺側縁に立設された第
１及び第２短側壁２３ａ，２３ｂと、によって桶状に形成されている。そして要介護者等
は、該バスタブ１１内に入り込み、底板２１上に座って該バスタブ１１内に溜められた湯
に浸かることで入浴する。
なお本実施形態のバスタブ１１は、浴室の隅角で蛇口１３が設けられた壁に図中で左奥
側の第２短側壁２３ｂが接し、該蛇口１３が設けられた壁と隣接する壁に図中で右奥側の
第２長側壁２２ｂが接するように配置されており、主に要介護者は、第１短側壁２３ａ側
に頭を向けて入浴する。またバスタブ１１には、各側壁が中空のものと、中実のものとが
あるが、何れのものであってもよい。
【００１２】
該バスタブ１１の内側となる面を内面として、第１及び第２長側壁２２ａ，２２ｂの内
面の上端部であって上縁には、上記手摺りユニット１２を取り付けるための複数の取付凹
部２４が凹設されている。
図１（ｂ）に示すように、該取付凹部２４は、例えば第１及び第２長側壁２２ａ，２２
ｂをその内面が凹むように成形したり、一部を切除したり等して形成されたものであり、
第１及び第２長側壁２２ａ，２２ｂの内面の上縁で角部に凹設され、その内面の断面形状
がＬ字状をなしている。従って、該取付凹部２４は、第１及び第２長側壁２２ａ，２２ｂ
の内面に臨む部位である前面２４ａと、第１及び第２長側壁２２ａ，２２ｂの上端面に臨
む部位である上面２４ｂと、の２面が開放された形状となる。
なお、該取付凹部２４は、第１及び第２長側壁２２ａ，２２ｂを貫通するように形成さ
れた穴ではなく、第１及び第２長側壁２２ａ，２２ｂを凹ませる等することで凹所として
形成されたものである。これは、該取付凹部２４を穴として形成した場合には、湯が該穴
から外へ抜け出てしまうことで該バスタブ１１内に溜めることが出来る湯量が減ってしま
うためである。
【００１３】
図２に示すように、上記手摺りユニット１２は、対向配置された一対の固定板３１と、
該一対の固定板３１間を繋ぐ手摺り棒３２と、該一対の固定板３１の周縁の間に架設された断面Ｌ字状をなす連結板３３とを備えている。該手摺り棒３２は、要介護者が握りやすいように丸棒形状とされている。また該手摺り棒３２は、該バスタブ１１の取付凹部２４に手摺りユニット１２を取り付けた状態で、第１及び第２長側壁２２ａ，２２ｂの内面から該バスタブ１１の内部へ突出しないようにするため、該固定板３１の略中央位置に繋がるように配設されている。さらに該手摺りユニット１２においては、上記したように一対の固定板３１の周縁の間に断面Ｌ字状をなす連結板３３が架設されており、該手摺りユニット１２の強度を向上させている。
なお、該手摺りユニット１２は、合成樹脂、金属等を材料に用いて一体成形してもよく
、また、例えば固定板３１及び連結板３３を合成樹脂で一体成形したうえで、金属製の手
摺り棒３２をボルト固定、接着等して接合してもよい。
【００１４】
当該浴槽１０において、上記手摺りユニット１２は、上記バスタブ１１の取付凹部２４
に嵌め込まれたうえで、固定板３１を該取付凹部２４の内面に、上記手摺りユニット１２の少なくとも上記一対の固定板３１が接着、溶着、超音波接着、ボルト締め等による螺着などの方法により接合することで固定される。また手摺りユニット１２のバスタブ１１に対する固定強度を上げたい場合は、連結板３３を固定板３１と同様の方法で取付凹部２４の内面に接合してもよい。
該固定板３１は、取付凹部２４の内面で接合される部位と略等しい大きさに形成されて
いる。また上述したように、手摺り棒３２は固定板３１の略中央位置に繋がるように配設
されている。従って、手摺りユニット１２は、その全体が取付凹部２４の内側に収容され
た状態でバスタブ１１に固定されているため、第１及び第２長側壁２２ａ，２２ｂの内面
から突出しておらず、さらには第１及び第２長側壁２２ａ，２２ｂの上面からも突出して
いない。
【００１５】
図１（ａ）及び図３に示すように、本実施形態の取付凹部２４は、第１長側壁２２ａの
内面上縁に２つ、第２長側壁２２ｂの内面上縁に２つの計４つが設けられている。第１長
側壁２２ａに設けられた２つ、あるいは第２長側壁２２ｂに設けられた２つのように、同
じ側壁に設けられた複数の取付凹部２４は、互いの間に間隔を空けて配設され配設されて
いる。このように取付凹部２４同士の間に間隔を空けることで、第１長側壁２２ａの上面
あるいは内面で手摺りユニット１２同士の間に平面部２５が形成されるため、該平面部２
５に座ったり、手をついたり等することができ、使い勝手を向上させることができる。
該バスタブ１１において、同じ側壁の内面上に設けられた２つの取付凹部２４は、該側
壁の幅方向における中央線（図３中に一点鎖線Ｃで示す）を基準として、線対称の位置関
係となるように配置されている。このため該バスタブ１１に手摺りユニット１２を取り付
けた当該浴槽１０は、第１短側壁２３ａ側に頭を向けて入浴する場合と、第２短側壁２３
ｂ側に頭を向けて入浴する場合とで手摺りユニット１２の位置関係に差異が無いように構
成されている。従って当該浴槽１０を設計の異なる浴室（例えば蛇口１３が設けられた壁
に第１短側壁２３ａが接し、該蛇口１３が設けられた壁と隣接する壁に第２長側壁２２ｂ
が接するようにバスタブ１１を配置する必要がある浴室）に設置する場合であっても、当
該浴槽１０の設計を変更することなく同一のものを設置することができる。
【００１６】
さて上記浴槽１０に要介助者が入浴するとき、要介助者は介助者に介添えされながら、
第１長側壁２２ａの上面で開放された取付凹部２４の内側に手を差し入れ、手摺り棒３２
を握り、体を支える。この後、要介助者は、該手摺り棒３２を握って体を支えたまま、足
を上げて第１長側壁２２ａを跨ぎ越す。このとき第１長側壁２２ａの上面に手摺りユニッ
ト１２が突出していないため、要介助者は手摺りを跨ぐために足を上げ直したり、あるい
は足を上げ損なって手摺りに引っ掛かったり等することなく、第１長側壁２２ａを楽に跨
ぎ越すことができる。
第１長側壁２２ａを跨ぎ越した後、要介助者は足を、該第１長側壁２２ａの内面上で滑
り伝わらせながら、あるいは第１長側壁２２ａの内面の直近位置で移動させながら、バス
タブ１１の底板２１上に下ろす。このとき第１長側壁２２ａの内面に手摺りユニット１２
が突出していないため、要介助者は手摺りに引っ掛かったり、当たったり、あるいは手摺
りを避けるために一旦足をバスタブ１１の外に戻して再び第１長側壁２２ａの跨ぎ越しを
やり直したり等することなく、底板２１上に足を楽に下ろすことができる。
【００１７】
以下、上記実施形態とは異なる別形態の浴槽について説明する。
図４に示すように、手摺りユニット１２を使用しない場合、カバー体４１を取付凹部２
４に取り付けることで、該取付凹部２４を塞いでもよい。該カバー体４１は、取付凹部２
４の前面と上面を塞ぐことが出来るように、断面逆Ｌ字状に形成されている。また該カバ
ー体４１は、取付凹部２４から手摺りユニット１２が取り外されたうえで該取付凹部２４
に接合してもよく、あるいは取付凹部２４に手摺りユニット１２が取り付けられたままの
状態で該手摺りユニット１２を覆うように取付凹部２４に嵌着されてもよい。
【００１８】
図５に示すように、取付凹部２４は、第１及び第２長側壁２２ａ，２２ｂの上縁に設け
られることに限らず、上端部であれば上縁よりも下方に設けてもよい。この場合、取付凹
部２４の内面形状は。前面が開放されたコ字状となる。またコ字状をなす該取付凹部２４
に上記のようなカバー体４１を取り付けるように構成してもよく、このような場合のカバ
ー体４１は、板状に形成される。
【００１９】
上記実施形態の浴槽１０は、手摺りユニット１２を取付用フックとして用いることによ
り、種々のオプションユニットを装着することが可能である。該オプションユニットは、
該手摺りユニット１２の手摺り棒３２に嵌着される環状固定体５１を備えていることが必
須となる。該環状固定体５１は、Ｃ環筒状をなし、その開環部位から内側に手摺りユニッ
ト１２の手摺り棒３２を嵌入するように構成されている（例えば図８参照）。該環状固定
体５１においては、開環部位からの手摺り棒３２の抜け出しを規制するために該開環部位
を閉塞する閉塞手段を設けてもよく、また手摺り棒３２上での摺動を抑制するために内周
面に滑り止め手段を設けてもよく、さらに手摺り棒３２を締め付けることで環状固定体５
１を手摺り棒３２に固定する緊結手段を設けてもよい。
【００２０】
上記オプションユニットとして、図６に示すように、一対の該環状固定体５１と、これ
ら環状固定体５１を連結する棒体５２と、を備えているサポート手摺りユニット４２が挙
げられる。該サポート手摺りユニット４２は、棒体５２が対向配置された第１及び第２長
側壁２２ａ，２２ｂの間に架設されるように構成されている。そして要介護者は、入浴中
に該棒体５２を掴むことで体を支えたり、あるいは棒体５２を握ることで立ち上がったり
等する。
また該サポート手摺りユニット４２は、例えば要介護者がバスタブ１１内に入るとき等
に必要に応じて着脱されるが、該着脱時には環状固定体５１を手摺り棒３２の上方から嵌
め入れ、あるいは手摺り棒３２の上方へ取り外すことができる。加えて、該サポート手摺
りユニット４２は、着脱のために大きく上下移動させる必要が無く、さらに一方の環状固
定体５１を手摺りユニット１２に取り付けておいて、この手摺りユニット１２に取り付け
られた環状固定体５１を中心に他方の環状固定体５１を上下に回動させることで、着脱作
業を容易に行うことが出来る。
【００２１】
上記オプションユニットとして、図７、図８に示すように、環状固定体５１と、該環状
固定体５１から上方に延設された支持杆５３と、該支持杆５３の上方に支持された鞍台５
４と、該鞍台５４から立設された手摺杆５５と、を備えている出入り補助用サポート手摺
りユニット４３が挙げられる。該出入り補助用サポート手摺りユニット４３において鞍台
５４は、支持杆５３の上端から側方へ延設された上壁部５４ａと、該上壁部５４ａの先端
から垂下された前垂壁部５４ｂと、によって側面視で横Ｌ字状に形成されており、第１長
側壁２２ａの上端に被さるように構成されている。また鞍台５４の前垂壁部５４ｂには、
外側から内側に向かってねじ込むことにより第１長側壁２２ａの外面に圧接されて、該鞍
台５４を第１長側壁２２ａに固定する固定手段５６が螺着されている。
該出入り補助用サポート手摺りユニット４３は、第１長側壁２２ａの上端に固定装着さ
れるように構成されている。そして要介護者は、バスタブ１１内に入るべく該第１長側壁
２２ａを跨ごうとするとき、該出入り補助用サポート手摺りユニット４３の手摺杆５５を
握り掴むことで体を支えることができる。
該出入り補助用サポート手摺りユニット４３においては、固定手段５６をねじ込むとき
に、環状固定体５１が手摺り棒３２の上方から嵌め入れられていることから横方向へ移動
しづらくなっている。このため、例えば壁体を第１長側壁２２ａの内面に押し当てながら
固定手段５６をねじ込むことで壁体と固定手段５６の間に第１長側壁２２ａを挟み込む固
定方式のものに比べ、該出入り補助用サポート手摺りユニット４３は、第１長側壁２２ａ
への固定が確実であり、使用時における外れ、ぐらつきを抑えることができる。特に、該
環状固定体５１に上記のような開環部位を閉塞する閉塞手段を設けた場合には、環状固定
体５１が手摺り棒３２の上方向へ移動しづらくなるため、該環状固定体５１が該手摺り棒
３２から外れたり、該環状固定体５１がぐらついたりすることを抑制することができ、手
摺り棒３２に対する該環状固定体５１の固定をより確実なものとすることができる。
【００２２】
上記オプションユニットとして、図９に示すように、一対の環状固定体５１と、これら
環状固定体５１から下方に延設された一対の吊下杆５７と、一対の吊下杆５７の間に架設
された座板５８と、を備えているバスボードユニット４４が挙げられる。
該バスボードユニット４４は、座板５８が対向配置された第１及び第２長側壁２２ａ，
２２ｂの間に架設されるように構成されている。そして要介護者は、入浴中に該座板５８
に座ることで体を支えたり、あるいは該座板５８を踏み台とすることでバスタブ１１内へ
出入りする。
該バスボードユニット４４においては、環状固定体５１が手摺り棒３２の上方から下方
へ向かって嵌め入れられており、要介護者の使用時には座板５８から吊下杆５７を介して
環状固定体５１に下方への加重が加わることになるめ、該使用時に誤って外れることを防
止することができる。
【００２３】
上記オプションユニットとして、図１０に示すように、環状固定体５１と、該環状固定
体５１から横方向に延設された介助板５９と、該介助板５９の端部から垂下された支持脚
６０と、を備えている介助ユニット４５が挙げられる。
該介助ユニット４５は、介助板５９が第１長側壁２２ａの上端から側方へ張り出すよう
に構成されている。そして介助者は、入浴時に要介護者を介助板５９に座らせる等して体
重を預けさせることにより、要介護者の体の方向を変えたり、足を持ち上げたり等する。
該介助ユニット４５においては、環状固定体５１が手摺り棒３２の上方から嵌め入れら
れており、要介護者を座らせると介助板を介して環状固定体５１に下方への加重が加わる
ことになるため、足を持ち上げたり等するときに誤って外れることを防止することができ
る。
【００２４】
（削除）
【符号の説明】
【００２５】
１０    浴槽
１１    バスタブ
１２    手摺りユニット
２２ａ  第１長側壁
２２ｂ  第２長側壁
２４    取付凹部
３１    固定板
３２    手摺り棒
Ｃ      中央線
【図１】
0005528740.tif 000002
【図２】
0005528740.tif 000003
【図３】
0005528740.tif 000004
【図４】
0005528740.tif 000005
【図５】
0005528740.tif 000006
【図６】
0005528740.tif 000007
【図７】
0005528740.tif 000008
【図８】
0005528740.tif 000009
【図９】
0005528740.tif 000010
【図１０】
0005528740.tif 000011